(57)【要約】      （修正有）【課題】新しい血圧計を買って使用しようとする際に、これまで使用した血圧計に残っている血圧測定データを、新しい血圧計に簡単に直接転送して生かすことができる血圧計を提供する。【解決手段】被測定者の上腕に装着される腕帯部（カフ）と、腕帯部内を加圧する加圧手段１１０と、制御部１２０と、腕帯部内の圧力を検出する圧力検出部１４０と、腕帯部内の圧力を減圧する減圧手段１１１，１１２と、測定した血圧値を表示する表示部６３と、血圧測定データを記憶するデータ用メモリ１５４を備え、圧力検知部１４０からの圧力信号を受けて加圧手段１１０と減圧手段１１１，１１２を制御して血圧を測定する血圧計であって、データ用メモリ１５４内の血圧測定データを転送しようとするデータ転送相手の血圧計側に転送するための血圧測定データ転送部１０００を備える。【選択図】図１８
2012045167.tif 000002
【特許請求の範囲】
【請求項１】
カフと、前記腕帯部内を加圧する加圧手段と、制御手段と、前記腕帯部内の圧力を検出する圧力検出部と、前記腕帯部内の圧力を減圧する減圧手段と、測定した血圧値を表示する表示部と、血圧測定データを記憶するデータメモリを備え、前記圧力検出部からの圧力信号を受けて前記加圧手段と前記減圧手段を制御して血圧を測定する血圧計であって、
前記データメモリ内の前記血圧測定データを、データ転送相手の血圧計側に転送するための血圧測定データ転送部を備えることを特徴とする血圧計。
【請求項２】
前記血圧測定データ転送部は、
前記加圧手段と、前記データメモリ内の前記血圧測定データを転送しようとするデータ転送相手の前記血圧計側の圧力検出部と、を接続する空気供給用のチューブと、
前記加圧手段を作動して前記データメモリ内の前記血圧測定データを空気の加圧力変化に変えて、前記データ転送相手の前記血圧計側の圧力検出部に対して前記血圧測定データに対応する前記加圧力変化を伝えることで前記データ転送相手の前記血圧計側に対して前記血圧測定データを転送させる制御部と、
を有することを特徴とする請求項１に記載の血圧計。
【請求項３】
前記血圧測定データの転送元である前記血圧計から前記データ転送相手の前記血圧計側へ前記血圧測定データを転送する動作を開始するタイミングは、予め定めた加圧力変化パターンを前記血圧測定データの転送元である前記血圧計の前記制御部に入れることで生成されることを特徴とする請求項２に記載の血圧計。
【請求項４】
前記血圧測定データの転送元である前記血圧計から前記データ転送相手の前記血圧計側へ前記血圧測定データを転送する動作を開始するタイミングは、前記血圧測定データの転送元である前記血圧計に配置された複数の操作ボタンを同時に押すことで生成されることを特徴とする請求項２に記載の血圧計。
【請求項５】
前記血圧測定データ転送部は、
前記データメモリ内の前記血圧測定データを、前記表示部に表示される表示セグメントの点滅動作に変えて光信号を生成させ、前記血圧測定データを転送しようとするデータ転送相手の前記血圧計側の受光部に前記表示セグメントからの前記光信号を受光させて、前記データ転送相手の前記血圧計側に対して前記血圧測定データを転送させる制御部であることを特徴とする請求項１に記載の血圧計。
【請求項６】
前記血圧測定データの転送元である前記血圧計から前記データ転送相手の前記血圧計側へ前記血圧測定データを転送する動作を開始するタイミングは、転送元である前記血圧計側の配置された予め定めた操作ボタンを押すことで生成することを特徴とする請求項５に記載の血圧計。
【発明の詳細な説明】
【技術分野】
【０００１】
本発明は、血圧計を新たに交換する時にこれまで使用した血圧計に記憶されている血圧測定データを、新しい血圧計に直接移し替えることが可能な血圧計に関する。
【背景技術】
【０００２】
近年、医療機関で行われている高血圧治療向けの血圧測定において、白衣性高血圧症による擬似高血圧が問題にされている。この擬似高血圧症の原因としては、病院内での医師の前での緊張、不安等の精神面での不安定が考えられている。これに対して、精神的に安定している家庭にて測定した血圧値に注目が集まっている。このため、この家庭での血圧測定に用いる電子血圧計が注目されている。
【０００３】
このような血圧計では、朝・夕に測定された最高血圧（収縮期血圧）、最低血圧（拡張期血圧）を日時と共に記憶するタイプのものもある。また、日時、個人の識別情報と共にカードに記憶し、この記憶カードを介して、血圧測定データを外部のサーバに送信する血圧計も提案されている（特許文献１を参照）。
【０００４】
ところで、これまで血圧計を使用している被測定者が新しい血圧計を買って使用しようとする際に、これまで使用した血圧計のメモリに残っている血圧測定データを、新しい血圧計のメモリに直接移すことができず、これまで使用した血圧計のメモリに残っている血圧測定データを生かすことができない。
【０００５】
もし、これまで使用した血圧計に残っている血圧測定データを、新しい血圧計に移して生かそうとする場合には、使用した血圧計のメモリに残っている血圧測定データを、外部メモリ等を経由して個人のコンピュータに移して、このコンピュータから血圧測定データを新しい血圧計のメモリに移すといった面倒なデータ転送作業が必要になってしまう。この場合には、血圧測定データを移すための専用のソフトウェアをコンピュータにインストールする必要であり、操作が煩わしい。
【先行技術文献】
【特許文献】
【０００６】
【特許文献１】特開２００１―２９９７０６号公報
【発明の概要】
【発明が解決しようとする課題】
【０００７】
そこで、本発明は、上記課題を解消するために、新しい血圧計を買い替えて使用したりしようとする際に、これまで使用した血圧計に残っている血圧測定データを、新しい血圧計に簡単に直接転送してその血圧測定データを生かすことができる血圧計を提供することを目的とする。
【課題を解決するための手段】
【０００８】
本発明の血圧計は、カフと、前記腕帯部内を加圧する加圧手段と、制御手段と、前記腕帯部内の圧力を検出する圧力検出部と、前記腕帯部内の圧力を減圧する減圧手段と、測定した血圧値を表示する表示部と、血圧測定データを記憶するデータメモリを備え、前記圧力検出部からの圧力信号を受けて前記加圧手段と前記減圧手段を制御して血圧を測定する血圧計であって、前記データメモリ内の前記血圧測定データを、データ転送相手の血圧計側に転送するための血圧測定データ転送部を備えることを特徴とする。
上記構成によれば、新しい血圧計を買って使用しようとする際に、これまで使用した血圧計に残っている血圧測定データを、新しい血圧計に簡単に直接転送して生かすことができる。
【０００９】
好ましくは、前記血圧測定データ転送部は、前記加圧手段と、前記データメモリ内の前記血圧測定データを転送しようとするデータ転送相手の前記血圧計側の圧力検出部とを接続する空気供給用のチューブと、前記加圧手段を作動して前記データメモリ内の前記血圧測定データを空気の加圧力変化に変えて、前記データ転送相手の前記血圧計側の圧力検出部に対して前記血圧測定データに対応する前記加圧力変化を伝えることで前記データ転送相手の前記血圧計側に対して前記血圧測定データを転送させる制御部とを有することを特徴とする。
上記構成によれば、これまで使用した血圧計からチューブをデータ転送相手の血圧計側に対してチューブを接続して加圧力変化を伝えるだけで、これまで使用した血圧計に残っている血圧測定データを、新しい血圧計に直接移して生かすことができる。
【００１０】
好ましくは、前記血圧測定データの転送元である前記血圧計から前記データ転送相手の前記血圧計側へ前記血圧測定データを転送する動作を開始するタイミングは、予め定めた加圧力変化パターンを前記血圧測定データの転送元である前記血圧計の前記制御部に入れることで生成されることを特徴とする。
上記構成によれば、予め定めた加圧力変化パターンを前記血圧測定データの転送元である前記血圧計の前記制御部に入れるだけで、転送元である血圧計から前記データ転送相手の前記血圧計へ前記血圧測定データを転送する動作を確実に開始することができる。
好ましくは、前記血圧測定データの転送元である前記血圧計から前記データ転送相手の前記血圧計側へ前記血圧測定データを転送する動作を開始するタイミングは、前記血圧測定データの転送元である血圧計に配置された複数の操作ボタンを同時に押すことで生成されることを特徴とする。
上記構成によれば、被測定者が複数の操作ボタンを同時に押すだけで、転送元である血圧計から前記データ転送相手の前記血圧計へ前記血圧測定データを転送する動作を確実に開始することができる。
【００１１】
好ましくは、前記血圧測定データ転送部は、前記データメモリ内の前記血圧測定データを、前記表示部に表示される表示セグメントの点滅動作に変えて光信号を生成させ、前記血圧測定データを転送しようとするデータ転送相手の前記血圧計側の受光部に前記表示セグメントからの前記光信号を受光させて、前記データ転送相手の前記血圧計側に対して前記血圧測定データを転送させる制御部であることを特徴とする。
上記構成によれば、これまで使用した血圧計に残っている血圧測定データを、新しい血圧計に直接移して生かすことができる。
好ましくは、前記血圧測定データの転送元である前記血圧計から前記データ転送相手の前記血圧計側へ前記血圧測定データを転送する動作を開始するタイミングは、転送元である前記血圧計側の配置された予め定めた操作ボタンを押すことで生成することを特徴とする。
上記構成によれば、被測定者が予め定めた操作ボタンを押すだけで、転送元である血圧計から前記データ転送相手の前記血圧計へ前記血圧測定データを転送する動作を確実に開始することができる。
【発明の効果】
【００１２】
本発明によれば、新しい血圧計を買い替えて使用しようとする際や不具合によりに交換した場合に、これまで使用した血圧計に残っている血圧測定データを、簡単な操作で、新しい血圧計に簡単に直接転送して生かすことができる血圧計を提供できる。
【図面の簡単な説明】
【００１３】
【図１】本発明の血圧計の実施形態の全体を示す斜視図である。
【図２】図２（Ａ）は、図１に示す血圧計の血圧計本体を左後ろ側から見た斜視図である。図２（Ｂ）は、図１に示す血圧計の血圧計本体を右後ろ側から見た斜視図である。
【図３】図３（Ａ）は、腕帯部の内部構造例を示す断面図であり、図３（Ｂ）は、腕帯部を折り畳んだ状態を示す正面図であり、図３（Ｃ）は、腕帯部を折り畳んだ状態を示す斜視図である。
【図４】折り畳まれた腕帯部が筐体部の背面側に保持部を用いて着脱可能に収納される様子を示す側面図である。
【図５】図５（Ａ）は、エアプラグの外観を示す斜視図であり、図５（Ｂ）は、エアプラグの内部構造を示す断面図である。
【図６】血圧計本体の底部を示す図である。
【図７】図７（Ａ）は、蓋体を開けて電池収納部内に４本の電池が収納されている状態を示し、図７（Ｂ）は、電池収納部内から４本の電池が取り除かれた状態を示す図である。
【図８】電池収納部の電池収納用凹部と傾斜部の形状例を示す断面図である。
【図９】血圧計本体の筐体部から表示面部を取り外して、筐体部の内部を露出させた状態を示す斜視図である。
【図１０】血圧計本体の筐体部から表示面部を取り外して、筐体部の内部を露出させた状態を示す別の角度から見た斜視図である。
【図１１】筐体部の図７に示す底部を取り除き筐体部内を示す図である。
【図１２】２つの駆動ポンプと、制御バルブと排気バルブと、接続配管系と、その他の要素を示す図である。
【図１３】腕帯部の阻血用空気袋と、Ｋ音信号を検出する２つのＫ音検出用空気袋と、コンデンサマイクロフォン等と、接続配管系の接続関係を示す図である。
【図１４】被測定者が腕帯部に上腕Ｔを通して、阻血用空気袋にエアを供給して上腕Ｔを加圧して血圧測定をしている例を示す図である。
【図１５】図１に示す血圧計のブロック構成図である。
【図１６】制御部の好ましい構成の一例と動作例を示す図である。
【図１７】血圧計の周囲温度を検出する温度センサと表示部を示す図である。
【図１８】これまで使用した血圧計本体のブロック構成と、新しく使用する血圧計本体のブロック構成を、血圧測定データ転送用のエアチューブを用いて接続している状態を示図である。
【図１９】図１９（Ａ）は、血圧測定データ転送の動作開始例を示す波形を示す図、図１９（Ｂ）は、別の血圧測定データ転送の動作開始例を示す波形を示す図である。
【図２０】本発明の別の実施形態の血圧計を示す斜視図である。
【図２１】図２０の実施形態の血圧計本体による血圧測定データ転送例を示す図である。
【図２２】図２１において複数の表示セグメントが点滅することで相手の血圧計本体に転送される基本波形と血圧測定データの信号波形を示す図である。
【図２３】本発明の別の実施形態を示す図である。
【図２４】本発明のさらに別の実施形態を示す図である。
【図２５】本発明のさらに別の実施形態を示す図である。
【図２６】本発明のさらに別の実施形態を示す図である。
【発明を実施するための形態】
【００１４】
以下に、測定部位が上腕であり、コロトコフ音法による血圧計である本発明の血圧計の好ましい実施形態を、図面を参照して詳しく説明するが、圧脈波を用いた、いわゆるオシロメトリック法による血圧計にも適用でき、また、測定部位が手首である血圧計にも適用できる。
図１は、本発明の血圧計の実施形態の全体を示す斜視図である。図２（Ａ）は、図１に示す血圧計の血圧計本体を左後ろ側から見た斜視図である。図２（Ｂ）は、図１に示す血圧計の血圧計本体を右後ろ側から見た斜視図である。
図１に示す血圧計１は電子血圧計ともいい、この血圧計１では、腕帯部２と血圧計本体１０は別体になっており、図１と図２に示す血圧計本体１０から図１に示す腕帯部２を分離して使用する。この血圧計１は、腕帯部と本体部が一体となった一体型血圧計と違い、被測定者が座位にて測定する時に、血圧計本体１０の設置場所が被測定者から前方に離れていても、腕帯部２を上腕Ｔに装着することで、背を伸ばして腹圧の掛からない状態で血圧測定が可能である。
【００１５】
図１に示す腕帯部２は動脈を一時的に阻血する空気袋を含むもので、カフともいい、腕帯部２は一定（所定）の外周長さを有しており、折り畳み可能で柔らかな材質で作られた切れ目の無いソフトな筒体であり、２つの開口部１１Ｐ、１１Ｒを有している。被測定者の上腕Ｔに腕帯部２を装着すると、開口部１１Ｐは手指側に位置され、反対側の開口部１１Ｒは肩側に位置される。開口部１１Ｒの内径は、開口部１１Ｐの内径よりも大きい。被測定者の手指は、開口部１１Ｒ側から開口部１１Ｐにかけて挿入することで、腕帯部２は、被測定者の肘よりも上の上腕Ｔに保持して血圧を測定するようになっている。
【００１６】
腕帯部２は、上腕Ｔを阻血するための阻血用空気袋１４と、Ｋ音（コロトコフ音）信号を検出するための２つのＫ音検出用空気袋５０を内蔵している。阻血用空気袋１４は、血圧計本体１０側からエアを供給することにより上腕Ｔの動脈を加圧して阻血する。阻血用空気袋１４の空気収容容量は、Ｋ音検出用空気袋５０の空気収容容量に比べて大きい。図１に示すように、２つのＫ音検出用空気袋５０は、腕帯部２が上腕Ｔに装着された状態では、対向位置になるように配置されている。
Ｋ音検出用空気袋５０はＫ音を検出するための空気袋であり、Ｋ音は、腕帯部２の阻血用空気袋１４の内圧を最高血圧以上に上げて血管を一旦圧閉した後、内圧を徐々に下げて内圧が最高血圧以下になり、血管が開き始めると発生し、内圧が最低血圧以下になり、血管の圧閉が消失するまでの間検出できる音信号である。
【００１７】
図１に示すように、腕帯部２と血圧計本体１０は、エアチューブ４，５とエアプラグ６を介して接続されている。エアチューブ４，５は、好ましくは複胴管（複導管ともいう）を構成しているフレキシブルなエラストマチューブである。エアチューブ４，５は、全長に渡って（あるいはほぼ全長に渡って）一体的に形成されている。第１エアチューブとしてのエアチューブ４は、腕帯部２の阻血用空気袋１４へのエアの給排気に用いられ、第２エアチューブとしてのエアチューブ５は、Ｋ音信号を検出する２つのＫ音検出用空気袋５０へのエアの給排気に用いられる。エアチューブ４はエアチューブ５に比べてより太いチューブであり、エアチューブ４の内径と外径は、エアチューブ５の内径と外径に比べて大きく設定されている。
【００１８】
まず、図１と図３を参照して、腕帯部２の構造例を説明する。
図３（Ａ）は、腕帯部２の内部構造例を示す断面図であり、図３（Ｂ）は、腕帯部２を折り畳んだ状態を示す正面図であり、図３（Ｃ）は、腕帯部２を折り畳んだ状態を示す斜視図である。
図１と図３に示すように、腕帯部２は、外周方向に沿っては切れ目のない筒状の部材であり、所定（一定）の長さの外周を有していて、この腕帯部２の中に被測定者の上腕Ｔを通すことができるようになっている。図３（Ｂ）と図３（Ｃ）に示すように、腕帯部２は被測定者が簡単に折り畳むことができる柔軟性を有し、図１と図３（Ａ）に示すように、例えば外布１６と、内布１７と、上腕Ｔを阻血するための阻血用空気袋１４と、Ｋ音信号を検出する２つのＫ音検出用空気袋５０を有している。
【００１９】
外布１６の内側面と内布１７の外側面は、阻血用空気袋１４と２つのＫ音検出用空気袋５０を包んでおり、外布１６と内布１７は、阻血用空気袋１４と２つのＫ音検出用空気袋５０が収納可能なド−ナツ状の空間を作るために、外布１６の端部と内布１７の端部は、例えば縫製により接合している。
なお、２つのＫ音検出用空気袋５０は、好ましくは腕帯部２の長手方向（軸方向）の中間位置よりも開口部１１Ｐ側寄りの位置（肩側寄りではなく、手指より側の位置）に配置するのが良い。このようにすることで、２つのＫ音検出用空気袋５０のいずれかを上腕Ｔの動脈に対応する部分に当てることができる。
【００２０】
外布１６は、阻血用空気袋１４の外面を覆う筒体でなり、円周方向及び長手方向に非伸縮性の材料で形成されており、変形可能であるが伸縮性が非常に低いかほとんど無い布部材である。これにより、外布１６は、阻血用空気袋１４と２つのＫ音検出用空気袋５０内にエアを供給した際に、阻血用空気袋１４と２つのＫ音検出用空気袋５０が腕帯部２の半径方向の外側に膨れないようにすることができ、阻血用空気袋１４と２つのＫ音検出用空気袋５０は半径方向の内側である上腕Ｔ側に膨れることになる。このため、阻血用空気袋１４と２つのＫ音検出用空気袋５０の圧力は、腕帯部２の外側へは逃げずに上腕に対して加圧でき、正確な血圧測定をすることができる。
【００２１】
外布１６は、例えば伸びにくい生地（２０１ＢＥ）を採用でき、引張強度は、ＪＩＳ  Ｌ１０９６−Ａ法で測定した値として、タテが１４３０Ｎ／ｉｎ〜１４６０Ｎ／ｉｎで、ヨコが８１０Ｎ／ｉｎ〜８５０Ｎ／ｉｎである。さらには、タテが１４３０Ｎ／ｉｎ〜１４６０Ｎ／ｉｎで、ヨコが８１０Ｎ／ｉｎ〜８５０Ｎ／ｉｎであることが好ましい。タテとヨコともに、この数値範囲よりも小さいと阻血用空気袋１４の外側への膨らみの抑制が弱くなり、また、この数値範囲よりも大きいと上腕Ｔの挿入に影響が出る可能性がある。外布１６としては、例えば、ポリエステル１００％の生地を用いると、タテが１４４５Ｎ／ｉｎで、ヨコが８２７Ｎ／ｉｎである。
【００２２】
内布１７は、阻血用空気袋１４と２つのＫ音検出用空気袋５０の内面を覆う筒体でなり、変形可能で伸縮性を有し、上腕Ｔの被測定面に当接する当接布部である。内布１７は、弾性を備えていてしかも伸縮性を有する布部材である例えば伸びやすい生地を採用でき、引張強度は、ＪＩＳ  Ｌ１０９６−Ａ法で測定した値として、タテが９４．９Ｎ／ｉｎで、ヨコが１５０．７Ｎ／ｉｎである。引張伸度は、ＪＩＳ  Ｌ１０９６−Ａ法で測定した値として、タテが５１７％で、ヨコが４００％である。内布としては、例えば、ナイロン８０％、ポリウレタン２０％の生地である。内布１７は、阻血用空気袋１４と２つのＫ音検出用空気袋５０が上腕Ｔの被測定面に向けて膨張できるように伸縮性を持たせた素材にて、かつ、腕帯部２を被測定者の手先から挿入して、肘の上部の上腕Ｔまでスライドさせて装着させる必要があるので、スベリの良い材質、例えば、ジャ−ジ素材を使用している。
【００２３】
図１と図３（Ａ）〜図３（Ｃ）に示すように、開口閉鎖部材３０は、腕帯部２の内部において、開口部１１Ｐ側であってしかもエアチューブ４とエアチューブ５が導出（接続）されている側に設けられている。この開口閉鎖部材３０は、例えば着脱可能な面ファスナーを用いることができ、面ファスナーのオス部材３１とメス部材３２を有している。オス部材３１とメス部材３２は、腕帯部２の内側において対面する位置に固定されており、図３（Ｂ）と図３（Ｃ）に示すように、オス部材３１とメス部材３２を着脱可能に連結することにより、腕帯部２の開口部１１Ｐ側だけを閉じて、開口部１１Ｒは開放した状態に維持することができる。
これにより、腕帯部２に対して開口閉鎖部材３０を設けることで、被測定者が腕帯部２に対して手先を通して血圧測定をしようとする際に、閉じている開口部１１Ｐ側からは手先を通すことが無く、開いている開口部１１Ｒ側から迷わずに手先を通すことができる。このため、被測定者が腕帯部２に対して誤って手先を開口部１１Ｐ側から逆挿入してしまうことを防止することができる。もし、被測定者が腕帯部２に対して開口部１１Ｐ側から逆挿入してしまうと、Ｋ音検出用空気袋５０が上腕Ｔの動脈に適切に当たらなくなり、正確に血圧測定ができなくなる。
また、腕帯部２に対して開口閉鎖部材３０を設けることで、腕帯部２を使用しない時に折り畳むのが容易にできる。
【００２４】
図１と図３に示すように、腕帯部２は、方向視認用部材であるタグ３３を有している。このタグ３３は、開口部１１Ｒ側であって、外布１６に対して例えば接着剤を用いるか、縫製により固定されている。タグ３３は、腕帯部２の開口部１１Ｒ側の端部からＶ方向に沿って突出して設けられており、例えば布部材あるいはプラスチック部材により作ることができる。図３（Ａ）に示すように、被測定者が例えば腕帯部２に左腕を挿入して血圧測定をする際には、タグ３３を右腕の指Ｆでつかんで腕帯部２をＶ方向に移動することができる。このタグ３３には、好ましくは「肩側」表示３３Ｓを表記することができる。これにより、被測定者は、このタグ３３をつかんでＶ方向に移動するだけで上腕Ｔに対して腕帯部２の装着動作が容易にできるばかりでなく、腕帯部２の装着方向が明確になるので、開口部１１Ｒ側から迷わずに手先を通すことができる。このため、被測定者が腕帯部２に対して誤って手先を開口部１１Ｐ側から逆挿入してしまうことを防止することができる。すなわち、チューブ側の開口部を閉じることができるので、被測定者が上腕に対して誤って逆方向に装着することを容易に防止でき、被測定者が上腕に対して正しい方向に装着することができる。
【００２５】
次に、血圧計本体１０の構造例について説明する。
図１と図２に示すように、血圧計本体１０は、筐体部６０と、表示面部６１と、腕帯部２の保持部６２を有している。筐体部６０と表示面部６１と保持部６２は、電気絶縁性を有する材料、例えばプラスチックにより作られている。表示面部６１は、筐体部６０の前面側に設けられ、被測定者が表示部６３に表示される表示内容が見やすいように傾斜角度θを６０度程度に傾斜されている。
図２（Ａ）と図２（Ｂ）に示すように、筐体部６０は、側面部６８，６９と、背面６６と、破線で示す前面側開口部７０と、筐体部６０から突出して設けられた上面部７１と、底部７２を有している。
図１に示すように、表示面部６１は、表示部６３と、透明な例えばアクリル板のような保護板６４と、枠状の保持部材６５を有している。表示部６３は保持部材６５により保持され、保護板６４は保持部材６５に固定されて表示部６３の表面を保護している。この保持部材６５は、筐体部６０の破線で示す前面側開口部７０に対して着脱可能に装着されている。この保持部材６５を筐体部６０から取り外すことにより、筐体部６０の破線で示す前面側開口部７０を通じて筐体部６０の内部を露出させることができる。
【００２６】
図２に示すように、腕帯部の保持部６２は、筐体部６０の背面側に着脱可能に取り付けられている。図４には、折り畳まれた腕帯部２が筐体部６０の背面６６側に保持部６２を用いて着脱可能に収納される様子を示している。
腕帯部の保持部６２は、保持面６２Ａと脚部６２Ｂを有している。筐体部６０の下部側には、差込口６７が形成されている。脚部６２Ｂの先端部６２Ｃは、この差込口６７に挿入されることにより、腕帯部の保持部６２は、筐体部６０の背面６６側に着脱可能に取り付けることができる。保持面６２Ａと筐体部６０の背面６６の間には、折り畳まれた腕帯部２を着脱可能に収納することができる。これにより、被測定者が腕帯部２を使用しない場合には、折り畳まれた腕帯部２を容易にしかも確実に収納することができる。被測定者が血圧測定しない場合に、腕帯部２が筐体部６０の背部にあるので、被測定者は、腕帯部２により邪魔されることなく、表示部６３の表示内容例えば時間や室温等を目視で確認できるので、血圧測定に適した温度(環境温度)であるか否か容易に確認でき、更には、血圧計１の見栄えを良くすることができる。このため、血圧計本体１０は、使用しない時には例えば時計としてリビングルーム等に飾っておくことができる。
【００２７】
図２（Ａ）に示すように、筐体部６０の側面部（筐体に向かって左側側面部）６８の下部位置には、Ｏ−リング(不図示)を備えたエアプラグ差込口７３が形成されている。このエアプラグ差込口７３には、エアプラグ６が着脱可能に装着できる。エアプラグ差込口７３は、エアプラグ６の形状に合わせて、上部分７３Ａの幅ｄ１は、丸み形状の下部分７３Ｂの幅ｄ２に比べて大きく設定されている。エアプラグ差込口７３の内部には、差し込み穴７３Ｇ、７３Ｈを有している。
一方、エアプラグ６の構造例は、図５に示している。図５（Ａ）は、エアプラグ６の外観を示す斜視図であり、図５（Ｂ）は、エアプラグ６の内部構造例を示す断面図である。
図５（Ａ）に示すように、エアプラグ６は例えばプラスチックにより作られており、筐体６Ａと、接続筒部６Ｂ、６Ｃと、接続ガイド部６Ｄを有する。接続筒部６Ｂは、エアチューブ５に、接続筒部６Ｃは、エアチューブ４に、それぞれ対応している。接続筒部６Ｂは、外径が３．５〜５ｍｍ、好ましくは外径４ｍｍ、長さＤＥ４が９〜１１ｍｍ、好ましくは１０ｍｍ、接続筒部６Ｃも、接続筒部６Ｂと同様の寸法で、外径が３．５〜５ｍｍ、好ましくは外径４ｍｍ、長さＤＥ４が９〜１１ｍｍに形成されている。また、接続筒部６Ｂと接続筒部６Ｃの中心間距離Ｄ３は、１０〜１１ｍｍ、好ましくは、１０．５ｍｍとなっている。このような寸法とすることで、エアプラグ６の接続筒部６Ｂ、接続筒部６Ｃをエアプラグ差込口７３に対して差し込んだり、取り外したりするのを容易にできる。また、筐体６Ａの適所にリブ、溝、凹凸６Ｈを設けることで、エアプラグ６の接続筒部６Ｂ、接続筒部６Ｃをエアプラグ差込口７３に差し込んだり、取り外したりするのを容易にできる。
【００２８】
図５（Ｂ）に示すように、接続筒部６Ｂ、６Ｃは、筐体６Ａの一方の面からＪ１方向に平行に突出して形成されている。これらの接続筒部６Ｂ、６Ｃは、エアプラグ差込口７３の差し込み穴７３Ｇ、７３Ｈにそれぞれ着脱可能に挿入される。図５（Ａ）に示す接続ガイド部６Ｄの上部分６Ｆは、図２（Ａ）に示すエアプラグ差込口７３の上部分７３Ａに案内して挿入され、接続ガイド部６Ｄの下部分６Ｇは、図２（Ａ）に示すエアプラグ差込口７３の下部分７３Ｂに案内して挿入されるようになっている。これにより、エアプラグ６は、エアプラグ差込口７３に対して上下逆に装着されることを防止しており、血圧計本体１０側から阻血用空気袋１４と２つのＫ音検出用空気袋５０に対して逆にエア供給されることはない。エアプラグ６に接続される腕帯部２は、複数のサイズ、例えば、大、中、小の３サイズがあり、使用者の上腕の大きさに合わせて最も適合したものを選択できるようになっている。また、エアプラグ６は、血圧計本体１０の正面に向かって側面に設けることで、駆動ポンプ１１０万一暴走し、異常に腕帯部２が加圧された場合でも、複雑な電子回路や異常時のスイッチを設けたりすることなく、使用者がエアプラグ６を引き抜くことで、腕帯部２の異常加圧を極めて容易に回避できる。
【００２９】
図５（Ｂ）に示すように、第１接続筒部８０と第２接続筒部８１が、筐体６Ａの他方の面からＪ２方向に沿って平行に突出して形成されている。第１接続筒部８０は、筐体６Ａの第１当接位置Ｃ１からＪ２方向にＤＥ２分だけ突出して形成され、第２接続筒部８１は、筐体６Ａの第２当接位置Ｃ２からＪ２方向にＤＥ３分だけ突出して形成されている。Ｊ２方向はＪ１方向とは反対である。第１接続筒部８０にはエアチューブ４の先端部４Ａが着脱可能に接続され、第２接続筒部８１にはエアチューブ５の先端部５Ａが着脱可能に接続されている。図２（Ａ）に示す例では、エアチューブ５側が下側でエアチューブ４が上側で接続される。なお、ＤＥ２の長さは、９〜１１ｍｍ、好ましくは、１０±０．１ｍｍ、ＤＥ３の長さは、４．５〜５．５ｍｍ、好ましくは、５．０±０．１ｍｍである。
【００３０】
図５（Ｂ）に示すように、第２当接位置Ｃ２は、第１当接位置Ｃ１に比べて、Ｊ２方向（エアチューブの長手方向（接続方向）に相当）に沿って突出した位置に形成されており、第２当接位置Ｃ２と第１当接位置Ｃ１の間には、Ｊ２方向（長手方向）に段差ＤＥ１が形成されている。ＤＥ１の長さは、４．５〜５．５ｍｍ、好ましくは、５．０±０．１ｍｍである。ＤＥ１，ＤＥ２，ＤＥ３を上述の長さにすることにより、エアチューブ４に比べて細いエアチューブ５の長さは、エアチューブ４の長さに比べて、Ｊ２方向に沿って長手方向の落差（突出寸法）ＤＥ１分だけ長さに余裕ができる。このため、細いエアチューブ５が、エアチューブ４につられてむやみに引っ張り力が掛からなくなり、２本のエアチューブ４，５の連結部（嵌合部）７９が並行になり、エアチューブ４，５の外観上の見栄えを良好にできる。すなわち、コロトコフ音検出用空気袋に接続する細径の第２エアチューブ５と阻血用空気袋に接続する大径の第１エアチューブ４がエアプラグ６の付近において並行になり、細径の第２エアチューブ５の長さが大径の第１エアチューブ４の長さに比べて突出して形成されている分だけ余裕ができるので、細径の第２エアチューブ５が大径の第１エアチューブ４に引っ張られて引張力が掛かることが無く、エアプラグ６付近の外観上の見栄えを良好にすることができる。
【００３１】
しかも、太いエアチューブ４側の第１当接位置Ｃ１に対応する筐体６Ａの接続ガイド部６Ｄの下部分６Ｇの幅ｄ２は、細いエアチューブ５側の第２当接位置Ｃ２に対応する筐体６Ａの接続ガイド部６Ｄの上部分６Ｆの幅ｄ１と異なる値に設定されている。具体的には、幅ｄ１は、１２〜１４ｍｍ、好ましくは１３〜１３．５ｍｍ、幅ｄ２は、１０〜１２ｍｍ、好ましくは１１ｍｍに設定され、幅ｄ２が幅ｄ１に比べて小さく設定されている。これにより、エアプラグ６が図２（Ａ）に示すエアプラグ差込口７３に対して上下逆の位置に挿入されてしまうことを防止できる。なお、図示例とは逆に、太いエアチューブ４側の第１当接位置Ｃ１に対応する筐体６Ａの接続ガイド部６Ｄの下部分６Ｇの幅ｄ２は、細いエアチューブ５側の第２当接位置Ｃ２に対応する筐体６Ａの接続ガイド部６Ｄの上部分６Ｆの幅ｄ１に比べて大きく設定してもよい。この場合には、図２（Ａ）に示すエアプラグ差込口７３には、図２（Ａ）の例とは逆にエアチューブ５側が上側でエアチューブ４が下側で接続される。
【００３２】
図２（Ｂ）に戻ると、筐体部６０の側面部（エアプラグ差込口７３が形成された側面部６８とは反対側）６９には、スピーカ８５と、ＡＣアダプタを接続するための接続穴８６が設けられている。この接続穴８６には、ＡＣアダプタ８７の接続ジャック８７Ａが接続されることで、血圧計本体１０には商用電源から電源供給できる。接続穴８６は、エアプラグ差込口７３は、設けられている配置も大きさも形状も全く異なるため、エアプラグ６を間違えて差し込むことが防止できる。
図２（Ａ）に示すように、筐体部６０の上面に突出して設けられた上面部７１には、筐体部６０の正面に向かって、右側から、開始／停止スイッチ８８、メモリ―ボタン８８Ｍ、時刻設定／メモリ―消去ボタン８８Ｔの各種の操作ボタンが配置されている。この開始／停止スイッチ８８は、他のスイッチより大きく(幅広)に形成され、被測定者が押すことにより血圧計１の血圧測定動作を緊急に停止させる緊急停止スイッチ機能と、被測定者が押すことにより阻血用空気袋１４と２つのＫ音検出用空気袋５０の圧力を緊急に強制排気させる緊急排気スイッチの機能と、被測定者が押すことにより制御部の動作をリセットさせる制御部のリセット機能を兼ねている。
【００３３】
図６は、筐体部６０の底部７２を示している。底部７２はほぼ長方形状の平面部分であり、底部７２には電池収納部９０が配置され、この電池収納部９０を開閉する蓋体９１を備えている。蓋体９１は、２つのヒンジ９２により電池収納部９０を開閉できる。
図７（Ａ）は、蓋体９１を開けて電池収納部９０内に４本の単３形電池９３が収納されている状態を示し、図７（Ｂ）は、電池収納部９０内から４本の単３形電池９３が取り除かれた状態を示している。４本の単３形電池９３は、血圧計１の駆動電源であるが、乾電池（一次電池）であっても充電池（二次電池）であっても良い。電池のサイズは、単３形電池に限らず、他の大きさの電池、例えば単２形電池であっても良い。電池の本数は、４本に限らず、例えば６本以上であっても良い。
電池収納部９０と蓋体９１は、底部７２の幅方向Ｍ及び長さ方向Ｎに関してそれぞれ中央部に設けられている。つまり、電池収納部９０と蓋体９１は、底部７２のほぼ中央位置に設けられている。これにより、内蔵される複数本の単３形電池９３が、筐体部６０の中心位置に配置できるので、筐体部６０の底部７２を置いた場合に、これらの電池の重みにより、血圧計本体１０は転倒しないように安定して置くことができ、血圧計本体１０の安定性を得ることができ、血圧測定が安定して行える。
【００３４】
図７（Ｂ）に示すように、電池収納部９０の内底部分には、２本の単３形電池９３を電気的の直列に配置するために、電池収納用凹部９４と電池収納凹部９５が並列に形成されている。これらの電池収納用凹部９４と電池収納凹部９５は、それぞれ２本の単３形電池９３を動かないように収納するために、例えば断面半円形状の凹部であり、中央位置には長手方向に沿って仕切り部分９６が形成されている。電池収納用凹部９４には、電気接点９０Ａ，９０Ｂが設けられ、電池収納用凹部９５には、電気接点９０Ｃ，９０Ｄが設けられている。電気接点９０Ａ，９０Ｃには、それぞれ単３形電池９３の正極が接触し、電気接点９０Ｂ，９０Ｄには、それぞれ単３形電池９３の負極が接触する。４本の単３形電池９３は、２本ずつ電池収納用凹部９４と電池収納凹部９５にそれぞれ収納されているが、４本の単３形電池９３は電気的には直列に接続されている。
【００３５】
図７（Ｂ）と図８に示すように、電池収納用凹部９４には、２つの傾斜部９７が形成され、同様にして電池収納凹部９５にも、２つの傾斜部９７が形成されている。これらの傾斜部９７の形状は、図８に示しており、それぞれ単３形電池９３の負極側に対応して形成されている。各傾斜部９７は、電池収納用凹部９４からさらに斜めに落とし込まれた部分である。
これにより、図８（Ａ）に示すように、電池収納用凹部９４内に４本の単３形電池９３が収納された状態で、被測定者が指で矢印Ｈ方向に単３形電池９３の負極側を押すことにより、図８（Ｂ）に示すように単３形電池９３の負極側が傾斜部９７内に押し込まれるので、単３形電池９３の正極側は電池収納用凹部９４内から矢印Ｋ方向に持ち上げることができる。従って、被測定者が電池交換する時に電池の取り外しが容易に行え、電池収納部内から電池が不用意に突然飛び出して落としてしまうといったことが生じない。
なお、図７に示すように、蓋体９１の内面には、傾斜部９７に対応する位置に「押す」及び「矢印」表示９９が配置されている。これにより、図７（Ａ）に示すように、被測定者が電池交換する際に、電池収納用凹部９４，９５にそれぞれ単３形電池９３が収納されていても、被測定者は電池を押すべき位置を簡単に知ることができ、電池を取り出して電池交換が容易になる。さらに、電池収納部９０の長手方向に仕切りを設けて２室として単３形電池９３が２個ずつ並列に収納されるようにすることで、電池交換する時に電池の取り外しが更に容易になる。
【００３６】
図９と図１０は、血圧計本体１０の筐体部６０の前面側開口部７０から表示面部６１を取り外して、筐体部６０の内部を露出させた状態を示している。筐体部６０の内部には、回路基板１００と隔壁１０１が配置されている。回路基板１００は、フレキシブル配線板１０２を介して、開始／停止スイッチ８８（図２を参照）等の操作ボタンに対して電気的に接続されている。また、回路基板１００は、フレキシブル配線板１０３を介して表示部６３に電気的に接続されている。
隔壁１０１は、筐体部６０内において筐体部６０と一体的に形成されている。隔壁１０１は、後で説明する加圧手段としての２つの駆動ポンプ１１０と、減圧手段としての制御バルブ１１１と排気バルブ１１２とを、回路基板１００の制御部１２０から隔離するために設けられている。この隔壁１０１を設けることにより、加圧手段である駆動ポンプ１１０と、減圧手段としての制御バルブ１１１と排気バルブ１１２とを、回路基板１００の制御部１２０から距離的に離すことができ、例えば駆動ポンプ１１０が動作するときに生じる熱が、回路基板１００の制御部１２０に伝わりにくくなり、回路基板１２０上に搭載されている要素は熱の影響を受けにくい。
【００３７】
図１１は、筐体部６０の図７に示す底部７２を取り除き筐体部６０内を示している。筐体部６０の内部には、スピーカ８５と接続部８６と、２つの駆動ポンプ（エアポンプ）１１０と、制御バルブ１１１と排気バルブ１１２等が収容されている。
図１２は、２つの駆動ポンプ１１０と、制御バルブ１１１と排気バルブ１１２と、接続配管系と、その他の要素を示している。図１２に示すように、制御バルブ１１１と排気バルブ１１２は、ジャバラ管１２１を介してマニホールド１２２の第１マニホールド部１２２Ａの一端部に接続されている。また、２つの駆動ポンプ１１０は、ジャバラ管１２１を介してマニホールド１２２の第１マニホールド部１２２Ａの一端部に接続されている。第１マニホールド部１２２Ａの他端部は、第２マニホールド部１２２Ｂの一端部に接続されている。
【００３８】
図１と図２（Ａ）に示すように、２つのＫ音検出用空気袋５０に接続されたエアチューブ５の内径と外径は、阻血用空気袋１４に接続されたエアチューブ４の内径と外径に比べて、細くしている。これは、２つのＫ音検出用空気袋５０と、血圧計本体１０側に配置された図１２に示すコンデンサマイクロフォン１２５とを接続するために、エアチューブ５は腕帯部２が上腕Ｔに装着できる長さを必要とし、しかも２つのＫ音検出用空気袋５０内で発生するＫ音が、エアチューブ５を通過する際に減衰もしくは拡散するのを防いで、Ｋ音がコンデンサマイクロフォン１２５に確実に到達できるようにするためである。
第２マニホールド部１２２Ｂの途中には、可撓性のシリコンチューブのようなチューブ１２３の一端部が接続されている。このチューブ１２３の他端部であって自由端１２４の途中には、コンデンサマイクロフォン１２５が内蔵して設けられている。コンデンサマイクロフォン１２５を用いることにより、圧電マイクロフォンを用いるのに
比べて低い周波数の音を検出することができる。これにより、チューブ１２３として例えばシリコンチューブを用いることにより、例えばスピーカ８５が発生する音や、開始／停止スイッチ８８等の各種の操作ボタンの操作に伴い発生する音等のノイズがコンデンサマイクロフォン１２５に達するのを防ぐことができ、低い周波数であるコロトコフ音を確実に検出でき、正確な血圧測定が行える。
【００３９】
シリコンチューブ自体がノイズを吸音でき、コンデンサマイクロフォン１２５は、Ｋ音を検出するために第２マニホールド部１２２Ｂの途中の位置に設けられている。このコンデンサマイクロフォン１２５の外径は、３．５〜４．５ｍｍ、好ましくは４．０ｍｍである。このコンデンサマイクロフォン１２５の外径が、３．５ｍｍよりも小さいとＫ音検出感度が悪くなり、４．５ｍｍよりも大きいとＫ音だけでなく脈波も検出してしまう恐れがあり、Ｓ／Ｎ比が低下する。
なお、図１２に示すように、コンデンサマイクロフォン１２５は、チューブ１２３の途中に形成された分岐部分１２３Ｄ内に配置しても良い。
【００４０】
図１２に示すように、タンク１２６は、２本の接続筒１２６Ａを有しており、２本の接続筒１２６Ａは、チューブ１２７とジャバラ管１２１に対して、それぞれ可撓性を有する抵抗チューブ１２９Ａ，１２９Ｂを介して接続されている。タンク１２６と２本の抵抗チューブ１２９Ａ，１２９Ｂは、エアフィルタ１３０を構成している。第１マニホールド部１２２Ａの途中には、チューブ１２８が接続されており、このチューブ１２８は、エアチューブ５を通じてＫ音検出用空気袋５０に接続されている。
抵抗チューブ１２９Ａ，１２９Ｂの内径は、チューブ１２７と接続筒１２６Ａの内径よりも小さく、抵抗チューブ１２９Ａ，１２９Ｂの端部はチューブ１２７と接続筒１２６Ａ内に挿入することで接続されている。
【００４１】
なお、図１２に示すように、抵抗チューブ１２９Ａ，１２９Ｂの両端部内には、抵抗チューブ１２９Ａ，１２９Ｂが潰れるのを防止するために、円周方向に弾性を有する金属製の割りピンのようなフィルタ部材としてのピン１３３が配置されている。ピン１３３は、長さが７ｍｍ、外径０．８ｍｍ、内径０．５ｍｍである。これにより、抵抗チューブ１２９Ａ，１２９Ｂの両端部が細いチューブであるにもかかわらず、実装時等に潰れることがなく、確実に抵抗チューブ１２９Ａ，１２９Ｂ内にエアを通すことができ、さらにノイズ除去の効果を有する。
また、可撓性を有するチューブ１２３内にも、円周方向に弾性を有する金属製の割りピンのような接続管１３４を配置することができる。接続管１３４は、長さが１２ｍｍ、外径４〜４．５ｍｍ、内径３〜４ｍｍである。これにより、可撓性を有するチューブ１２３であるにもかかわらずつぶれることが無く、確実にコンデンサマイクロフォン１２５に対して、ノイズが除去されたエアを供給することができる。接続管１３４は、長さが１２ｍｍより長いと、実装しづらくなる。また、長さが８ｍｍより短いと、チューブ１２３の揺動の影響を受ける。また、外径が４．５ｍｍより大きいと、実装しづらくな
【００４２】
図１３（Ａ）は、腕帯部２の阻血用空気袋１４と、Ｋ音信号を検出する２つのＫ音検出用空気袋５０と、コンデンサマイクロフォン１２５等と、接続配管系の接続関係を示している。図１３（Ｂ）は、エアフィルタ１３０等を示している。
図１３（Ａ）と図１３（Ｂ）に示すように、腕帯部２は、阻血用空気袋１４と、Ｋ音信号を検出する２つのＫ音検出用空気袋５０を有している。阻血用空気袋１４と２つのＫ音検出用空気袋５０は、例えば透明のプラスチックシート、一例としてポリウレタンシートにより形成されている。２つのＫ音検出用空気袋５０は、阻血用空気袋１４の内面側に例えば両面粘着テープまたは接着剤により固定されており、図１に示すように２つのＫ音検出用空気袋５０は互いに離れている。
なお、Ｋ音検出用空気袋５０が阻血用空気袋１４の内側面に少なくとも２つ配置されているのは、左右のいずれの上腕においても測定可能にするためであり、Ｋ音検出用空気袋５０を上腕Ｔの動脈位置に位置させることができる。また、このＫ音検出用空気袋５０が動脈の位置からラジアル方向にずれて装着された場合でも、一方のＫ音検出用空気袋５０が、上腕ＴのＫ音の伝達効率が高い上腕筋部位に配置できる。
【００４３】
図１３（Ａ）と図１３（Ｂ）に示すように、太いエアチューブ４が阻血用空気袋１４と制御バルブ１１１、排気バルブ１１２、駆動ポンプ１１０に接続され、細いエアチューブ５が２つのＫ音検出用空気袋５０とコンデンサマイクロフォン１２５に接続されている。太いエアチューブ４と細いエアチューブ５の間には、消音器としてのＴ型のエアフィルタ１３０が接続されている。
このエアフィルタ１３０の抵抗チューブ１２９Ｂが設けられているのは、次の理由からである。血圧測定時に２つのＫ音検出用空気袋５０からのエアチューブ５を通じて得られるＫ音が、抵抗チューブ１２９Ｂを設けることによりエアチューブ４側に漏れないようにして、コンデンサマイクロフォン１２５側に小さなＫ音を音圧が低下しないようにきれいに導けるようにするためである。
【００４４】
また、エアフィルタ１３０の抵抗チューブ１２９Ａが設けられているのは、次の理由からである。図１４は、図１に示すように被測定者が腕帯部２に上腕Ｔを通して、阻血用空気袋１４にエアを供給して上腕Ｔを加圧して血圧測定をしている例を示すグラフである。縦軸は圧力を示し、横軸は時間である。
図１４において、制御バルブ１１１と２つの駆動ポンプ１１０を作動して、図１３に示す阻血用空気袋１４にエアを供給して上腕を時点ｔ１まで加圧して、その後制御バルブ１１１が作動して阻血用空気袋１４内のエア圧を傾きが一定になるように減圧させていく。この減圧させる途中では最高血圧と最低血圧を検出して、その後排気バルブ１１２を作動して阻血用空気袋１４と２つのＫ音検出用空気袋５０内のエアを抜く。このように、血圧測定中に、上腕を加圧して減圧すると制御バルブ１１１から作動音が生じるので、この作動音がエアチューブ４を通じてコンデンサマイクロフォン１２５に伝わるのを抑制するために、抵抗チューブ１２９Ａが設けられている。
【００４５】
図１５は、図１に示す血圧計１のブロック構成図である。
図１５に示すように、腕帯部２の阻血用空気袋１４は、エアチューブ４を通じて、血圧計本体１０内のエアフィルタ１３０、圧力検出部（圧力センサ）１４０、２つの駆動ポンプ１１０、制御バルブ１１１、そして排気バルブ１１２に接続されている。Ｋ音信号を検出するＫ音検出用空気袋５０は、エアチューブ４を通じて、血圧計本体１０内のコンデンサマイクロフォン１２５に接続されている。圧力検出部（圧力センサ）１４０は、腕帯部２内の圧力を検出する。Ｋ音検出用空気袋５０は、図１５に示すように２つ（上腕に腕帯部を装着したときに円周方向で対向位置になる）設けることで、Ｋ音を的確に検出できるが、１つでもよい。
【００４６】
２つの駆動ポンプ１１０は、腕帯部２内の阻血用空気袋１４と２つのＫ音検出用空気袋５０にエアを供給して腕帯部２内の上腕を加圧する加圧手段である。このように、２つの駆動ポンプ１１０を用いるのは、腕帯部２が大きい場合には、２つの駆動ポンプを駆動させ、腕帯部２が小さい場合には、１つの駆動ポンプを駆動させ、阻血用空気袋１４と２つのＫ音検出用空気袋５０にエアを供給できるようにするためである。制御バルブ１１１と排気バルブ１１２は、腕帯部２内の阻血用空気袋１４と２つのＫ音検出用空気袋５０内のエアを抜いて加圧した上腕を減圧する減圧手段である。
制御部１２０は、各要素の制御を行う制御手段であり、駆動部１５０に指令を与えることにより駆動ポンプ１１０を駆動制御する。制御部１２０は、駆動部１５１に指令を与えることにより制御バルブ１１１、排気バルブ１１２を駆動制御する。
【００４７】
図１５では、制御部１２０は、表示部６３に指令を与えて、例えば図１に示すような温度表示、時刻表示、最高血圧、最低血圧等の表示内容を表示させる。制御部１２０には、音声用メモリ１５３とデータメモリ１５４が接続されており、音声メモリ１５３には、血圧計を測定する際に被測定者に対して音声ガイダンス内容が予め記憶されている。制御部１２０は、音声メモリ１５３内の音声ガイダンス内容を、スピーカ８５を通じて被測定者に報知するようになっている。データ用メモリ１５４には、血圧測定に必要な一連の動作を行うためのプログラムが記憶されており、制御部１２０はこのプログラムに従って、血圧測定動作を実施する。
【００４８】
図１５では、開始／停止スイッチ８８が制御部１２０に電気的に接続されている。スピーカ８５は、フィルタ１６４を介して制御部１２０に電気的に接続されている。その他に、電源コントロール部１６０、Ｋ音アンプ１６１、ＯＳＣアンプ１６２が、制御部１２０に電気的に接続されている。電源コントロール部１６０は、電池９３とＡＣアダプタ８７に電気的に接続され、所定の直流電圧を制御部１２０に供給する。Ｋ音アンプ１６１は、コンデンサマイクロフォン１２５により検出したＫ音を増幅して制御部１２０に供給する。ＯＳＣアンプ１６２は、コンデンサマイクロフォン１２５により検出した脈波信号を増幅して制御部１２０に供給する。これにより、制御部１２０は、Ｋ音を認識し、脈波を認識し、電池電圧を認識し、音声ガイダンスを合成することができる。
【００４９】
図１６（Ａ）は、制御部１２０の好ましい構成と動作の一例を示している。
図１６（Ａ）に示すように、制御部１２０は、中央処理部（ＣＰＵ）１７０と、第１クロック発生部１７１と、第２クロック発生部１７２を有している。中央処理部（ＣＰＵ）１７０は、開始／停止スイッチ８８と、第１クロック発生部１７１と第２クロック発生部１７２に電気的に接続されている。第１クロック発生部１７１は、中央処理部１７０を駆動するための基準クロックを発生して中央処理部１７０に供給し、例えばＡＴカット型の水晶発振器を用いており、発振周波数は３２ＫＨｚである。第２クロック発生部１７２は、例えばレゾネータであり、制御バルブ１１１と排気バルブ１１２の動作の基準周波数を供給する。第２クロック発生部１７２の発振周波数は例えば８ＭＨｚであり、第１クロック発生部１７１の発振周波数に比べて高い。
【００５０】
図１６（Ａ）に示す１つの開始／停止スイッチ８８は、血圧測定動作を開始するために動作開始スイッチと、血圧測定動作を停止するために押すスイッチと、緊急停止スイッチ機能と、緊急排気スイッチの機能を兼ねている。すなわち、被測定者は、図１６（Ａ）に示す開始／停止スイッチ８８を押すことで、図１に示す血圧計１により血圧測定を開始して腕帯部２により上腕Ｔを加圧して通常の血圧測定を行った後に、被測定者が再度開始／停止スイッチ８８を押すことで血圧測定動作を通常停止させることができる。
【００５１】
また、例えば、被測定者は、図１６（Ａ）に示す開始／停止スイッチ８８を押すことで、図１に示す血圧計１により血圧測定を開始して腕帯部２により上腕Ｔを加圧したが、例えば中央処理部１７０の動作が暴走して上腕にかかる力が大きすぎると被測定者が感じた場合に、すぐに被測定者が、血圧計１による血圧測定動作を緊急に停止するために、もう一度開始／停止スイッチ８８を押すことで、駆動ポンプ１１０を停止させて排気バルブ１１２を動作させて腕帯部２内のエアと阻血用空気袋１４と２つのＫ音検出用空気袋５０内のエアを急排気して上腕Ｔに与えている圧力を解除する。このように、１つの開始／停止スイッチ８８が、血圧測定動作を開始するために動作開始スイッチと、血圧測定動作を停止するために押すスイッチと、緊急停止スイッチ機能と、緊急排気スイッチの機能を兼ねているので、開始／停止スイッチ８８を設ければ、緊急停止スイッチや緊急排気スイッチを別途設ける必要が無く、中央処理部１７０の暴走による血圧測定時の不都合を防止できる。
【００５２】
図１６（Ｂ）は、図１６（Ａ）に示す開始／停止スイッチ８８のリセット信号ＲＳとスイッチオン信号ＲＭと、第１クロック発生部１７１の動作の立ち上がりと、第２クロック発生部１７２の動作の立ち上がりの波形例を示している。被測定者は血圧測定操作の際に、上述したように、開始／停止スイッチ８８を複数回繰り返して押すことが生じ、開始／停止スイッチ８８を押してオフにする際には、第１クロック発生部１７１がリセットされてしまう。
図１６（Ｂ）に示すように、開始／停止スイッチ８８がリセット後に、再度スイッチオン信号ＲＭが中央処理部１７０に入ると、第１クロック発生部１７１のクロックの発生動作はスイッチオン信号ＲＭから時間Ｔ１をかけて徐々に立ち上がる。このように、第１クロック発生部１７１の動作の立ち上がりは時間Ｔ１かかり、この時間Ｔ１の間は中央処理部１７０を駆動するクロックが与えられず、時間Ｔ１だけ中央処理部１７０の動作が遅れることになる。
【００５３】
しかし、図１６（Ｂ）に示すように、開始／停止スイッチ８８がリセット後に、再度スイッチオン信号ＲＭが中央処理部１７０に入ると、第２クロック発生部１７２の動作は、スイッチオン信号ＲＭから、時間Ｔ１に比べてかなり短い時間Ｔ２で急速に立ち上がる。従って、第２クロック発生部１７２の動作の立ち上がり時間Ｔ２は、第１クロック発生部１７１の動作の立ち上がり時間Ｔ１に比べて、短縮時間Ｔ３だけ短縮できる。
これにより、第１クロック発生部１７１に加えて第２クロック発生部１７２を用いることで、この第２クロック発生部１７２のクロック信号ＣＳ２が、第１クロック発生部１７１のクロック信号ＣＳ１に先立って中央処理部１７０に供給されるので、短縮時間Ｔ３だけ早く中央処理部１７０の時刻の遅れを補正することができる。すなわち、開始／停止スイッチ８８を複数回押しても中央処理部１７０の時刻ができるだけ遅れないように補正でき、時刻の遅れを防ぐことができる。すなわち、開始／停止スイッチ８８を繰り返して押しても、測定動作の開始と停止がなされた時の制御部１２０の時刻が補正でき、時刻が遅れることが無くなる。
この時間Ｔ２は時間Ｔ１に比べてかなり小さな値であり、時間Ｔ１は例えば１００ｍｓｅｃ〜１ｓｅｃであり、時間Ｔ２は例えば数ｍｓｅｃ〜数１０ｍｓｅｃである。
【００５４】
図１７は、血圧計１の周囲温度を検出する温度センサ１８０，１８１と表示部６３を示している。
図１７（Ａ）では、圧力検知部１４０が温度センサ１８０を内蔵している例を示している。圧力検知部１４０は、圧力測定の際に圧力値の温度補正処理を行うために、予め温度センサ１８０を備えている。この温度センサ１８０が、測定数値を制御部１２０に供給する。制御部１２０は、温度センサ１８０から得られた測定数値により、温度信号ＬＳ１を表示部６３に送り、血圧計１の周囲温度、例えば血圧計１が置かれた場所の室温として、表示部６３には時刻表示１８３、最高血圧値表示１８４、最低血圧値表示１８５とともに、温度表示１８２を表示することができる。
【００５５】
一方、図１７（Ｂ）は、温度センサ１８１が制御部１２０に内蔵されている例を示している。温度センサ１８１が、測定数値を制御部１２０に供給して、制御部１２０は、温度信号ＬＳ２を表示部６３に送り、血圧計１の周囲温度、例えば室温として、表示部６３には時刻表示１８３、最高血圧値表示１８４、最低血圧値表示１８５とともに、温度表示１８２を表示することができる。
これにより、図１７（Ａ）と図１７（Ｂ）のいずれの場合でも、血圧計１の周囲温度を測定するために、別途サーミスタ等の温度センサを設ける必要がなくなり、部品点数を減らすことができる。
また、図９に示すように、制御部１２０と圧力検知部１４０は、駆動ポンプ１１０に対して隔壁１０１により離して設けられているので、駆動ポンプ１１０が動作する際に生じる熱により温度上昇してしまうという問題が無くなり、温度センサ１８０あるいは温度センサ１８１は、血圧計１の周囲温度を正確に検知することができる。なお、例えば、就寝時の温度よりも翌朝の温度が、一例として１０℃下がっている場合には、制御部１２０は、図１のスピーカ８５を通じて１０℃下がっていると、被測定者に対して音声ガイドをすることができる。
【００５６】
次に、図１８を参照して、被測定者がこれまで使用した血圧計本体１０のブロック構成５００のデータ用メモリ１５４から、ブロック構成５００のデータ用メモリ１５４に記憶された血圧測定データを、新しく使用する血圧計本体１０のブロック構成６００のデータ用メモリ１５４へ転送する場合について説明する。
図１８は、転送元の血圧計である、これまで使用した血圧計本体１０のブロック構成５００と、転送相手の血圧計側である、新しく使用する血圧計本体１０のブロック構成６００を、血圧測定データ転送用のエアチューブ７００を用いて接続している状態を示している。図１８から明らかなように、ブロック構成５００とブロック構成６００は同一であり、同一機種の血圧計である。血圧測定データ転送用のエアチューブ７００は、図１５に示すエアチューブ４，５と同様なフレキシブルなチューブであり、一端部にプラグ７０１が配置され、他端部に別のプラグ７０２が配置されている。
【００５７】
このエアチューブ７００とこれまで使用した血圧計本体１０のブロック構成５００内の制御部１２０は、データ用メモリ１５４内の血圧測定データを、転送しようとするデータ転送相手の血圧計本体１０のブロック構成６００のデータ用メモリ１５４側に転送するための血圧測定データ転送部１０００を構成している。詳細には、この血圧測定データ転送部１０００は、加圧手段である駆動ポンプ１１０と、データ用メモリ１５４内の血圧測定データを転送しようとするデータ転送相手の血圧計本体１０の圧力検出部１４０を接続する空気供給用のエアチューブ７００と、加圧手段である駆動ポンプ１１０を作動してデータ用メモリ１５４内の血圧測定データを空気の加圧力変化に変えて、データ転送相手の血圧計本体１０の圧力検出部１４０に対して血圧測定データに対応する加圧力変化を伝えることでデータ転送相手の血圧計本体１０に対して血圧測定データを転送させる制御部１２０と、を有する。これまで使用した血圧計本体１０は、血圧測定データの転送元であり、新しく使用する血圧計本体１０は、血圧測定データの転送を受ける転送先である。
【００５８】
より具体的には、図１８に示すこれまで使用した血圧計本体１０のブロック構成５００のエアプラグ差込口７３からは、図１に示す腕帯部２のエアプラグ６は取り外され、新しく使用する血圧計本体１０のブロック構成６００のエアプラグ差込口７３からは、図１に示す腕帯部２のエアプラグ６は取り外されている。そして、これまで使用した血圧計本体１０のブロック構成５００のエアプラグ差込口７３には、血圧測定データ転送用のエアチューブ７００のプラグ７０１を着脱可能に接続し、新しく使用する血圧計本体１０のブロック構成６００のエアプラグ差込口７３には、血圧測定データ転送用のエアチューブ７００のプラグ７０２を着脱可能に接続できる。
これにより、この血圧測定データ転送用のエアチューブ７００は、これまで使用した血圧計本体１０のブロック構成５００内の駆動ポンプ１１０から、新しく使用する血圧計本体１０のブロック構成６００内の圧力検出部（圧力センサ）１４０へ、直接空気の加圧変動を圧力信号ＰＳとして送ることができるようになっている。
【００５９】
図１９（Ａ）は、血圧測定データ転送の動作開始例を示す波形を示している。
被測定者が、これまで使用した血圧計本体１０のブロック構成５００内のデータ用メモリ１５４内の血圧測定データを、データ転送相手の血圧計本体１０のブロック構成６００のデータ用メモリ１５４側に転送を開始する場合には、被測定者は、例えば、これまで使用した血圧計本体１０のブロック構成５００にある図２（Ａ）に示す開始／停止スイッチ８８、メモリ―ボタン８８Ｍ、時刻設定／メモリ―消去ボタン８８Ｔの各種の操作ボタンを同時に予め定められた一定時間ＨＪ以上押すことで、データ転送機能スイッチとして作用させる。
【００６０】
すなわち、図１９（Ａ）に示すように、被測定者が開始／停止スイッチ８８、メモリ―ボタン８８Ｍ、時刻設定／メモリ―消去ボタン８８Ｔを同時にある一定時間ＨＪ以上押すと、それぞれオン信号ＳＪ１、ＳＪ２、ＳＪ３が図１８（Ａ）に示す制御部１２０に送られる。これにより、制御部１２０は、データ転送を開始するためのデータ転送開始トリガ―ＳＪ４を図１８（Ａ）に示す駆動部１５０に供給することで、駆動部１５０は１つの駆動ポンプ１１０を駆動する。
これにより、駆動ポンプ１１０は、図１９（Ａ）に示す圧力信号ＰＳを生成するが、この圧力信号ＰＳは、制御部１２０がデータ用メモリ１５４に既に蓄積して記憶されている血圧測定データを変換して生成した空気圧の変化信号である。この血圧測定データは、測定日時、最高血圧値、最低血圧値、脈拍、測定周囲環境温度、個人識別情報等を含む。
【００６１】
図１８に示すように、この圧力信号ＰＳは、これまで使用した血圧計本体１０のブロック構成５００のエアプラグ差込口７３と、血圧測定データ転送用のエアチューブ７００を通じて、新しく使用する血圧計本体１０のブロック構成６００内の圧力検出部（圧力センサ）１４０へ送る。これにより、圧力検出部１４０は、圧力信号ＰＳを電気信号ＳＲＲに変換して新しく使用する血圧計本体１０のブロック構成６００内の制御部１２０に送る。この制御部１２０は、電気信号ＳＲＲに基づいて血圧測定データＲＲに変換して血圧測定データＲＲを新しく使用する血圧計本体１０のブロック構成６００内のデータ用メモリ１５４に記憶させる。
【００６２】
このように、被測定者がこれまで使用した血圧計本体１０のブロック構成５００にある複数の操作ボタンを同時にオン操作することで、圧力信号ＰＳによるデータ転送を開始することができ、血圧測定データは、血圧測定データ転送用のエアチューブ７００を通じて、新しく使用する血圧計本体１０のブロック構成６００内のデータ用メモリ１５４に、簡単にしかも確実に記憶させることができる。
このため、従来は、これまで使用した血圧計に残っている血圧測定データを、これから使用する新しい血圧計に移して生かそうとすると、使用した血圧計のメモリに残っている血圧測定データを、ＵＳＢメモリ等の外部メモリを経由してコンピュータに移して、このコンピュータから新しい血圧計のメモリに移す面倒な作業が必要になって、操作が煩わしかったが、本発明の実施形態ではこのような問題は生じない。図１８では、同一機種の血圧計同士のデータの転送の例を示したが、機種が異なる場合、例えば、オシロメトリック方式手首式血圧計とオシロメトリック方式上腕式血圧計、測定方式が異なる血圧計、例えば、オシロメトリック方式上腕用血圧計とコロトコフ音方式上腕用血圧計、機種及び測定方式が異なる場合、オシロメトリック方式手首式血圧計と、コロトコフ音方式上腕用血圧計との間であっても、すべての血圧計は、圧力検出部及び駆動ポンプを備えているので、転送用のエアチューブ７００がそれぞれに適用できるようにしておけば、血圧測定データの転送は可能となる。
【００６３】
図１９（Ｂ）に示す本発明の実施形態は、図１９（Ａ）に示す本発明の実施形態とは異なる。図１９（Ａ）に示す本発明の実施形態では、転送元の血圧計である、被測定者がこれまで使用した血圧計本体１０のブロック構成５００にある複数の操作ボタンを同時にオン操作して、制御部１２０がデータ転送開始トリガ―ＳＪ４を発生させることで、圧力信号ＰＳのデータ転送を開始する。
しかし、図１９（Ｂ）に示す本発明の実施形態では、例えば被測定者が開始／停止スイッチ８８をオンすると、これまで使用した血圧計本体１０のブロック構成５００内の制御部１２０がブロック構成５００内の駆動部１５０に対して、データ転送開始トリガ―５を発生させるために予め定めた加圧力データ６５０を供給するようになっている。例えば、この予め定めた加圧力データ６５０は、１５０ｍｍＨｇ、８０ｍｍＨｇ，３０ｍｍＨｇで構成されており、データ用メモリ１５４からブロック構成５００内の制御部１２０にこの加圧力データ６５０を供給した時点で、ブロック構成５００内の制御部１２０がデータ転送開始トリガ―ＳＪ５をブロック構成５００内の駆動部１５０に発生させることで、圧力信号ＰＳによるデータ転送を開始するようになっている。
【００６４】
次に、図２０から図２２を参照して、本発明のさらに別の実施形態を説明する。
図２０から図２２に示す本発明の実施形態では、血圧測定データ転送用のエアチューブ７００を用いるのではなく、これまで使用した血圧計に残っている血圧測定データを新しい血圧計に対して、光信号を用いて非接触で転送するようになっている。
図２０と図２１に示すように、転送元の血圧計である、これまで使用した血圧計１の血圧計本体１０は、データ転送スイッチ７３０を有しており、表示部６３に表示される表示点滅手段８００を用いる。表示点滅手段８００は、例えば７セグメントで構成される数字を表示するセグメントの内の２つの表示セグメント８０１，８０２の表示を点滅させることから構成されている。図２１に示す血圧測定データ転送部１００１は、これまで使用した血圧計本体１０のブロック構成５００内の制御部１２０と、表示部６３の表示点滅手段８００を有している。
【００６５】
図２１に示すように、転送相手の血圧計側である、これから使用する新しい血圧計１Ａの血圧計本体１０Ａでは、その表示部６３内に受光手段９００が配置されている。この受光手段９００は、２つの受光素子９０１，９０２から構成されている。これまで使用した血圧計１の血圧計本体１０とこれから使用する新しい血圧計１Ａの血圧計本体１０Ａを近接して向い合せにした状態では、受光素子９０１，９０２は、表示セグメント８０１，８０２にそれぞれ対応した位置に配置されている。受光素子９０１，９０２は、制御部１２０に電気的に接続されている。
図２０と図２１に示す例では、図２２に示すように制御部１２０は、血圧計本体１０内のデータ用メモリ１５４に記憶されている血圧測定データＲＲを、表示セグメント８０２の点滅動作により点滅信号に変換することで、表示セグメント８０２は転送しようとする血圧測定データの信号波形ＤＳを発生させる。同時に、制御部１２０は、表示セグメント８０１を点滅動作させて、矩形波の基本波形（周期波形信号）ＢＳを発生させるようになっている。
【００６６】
これにより、血圧測定データ転送部１００１は、データ用メモリ１５４内の血圧測定データを、転送しようとするデータ転送相手の血圧計本体１０のブロック構成６００のデータ用メモリ１５４側に転送するためのものである。すなわち、血圧測定データ転送部１００１は、転送元である血圧計本体１０の制御部１２０を有し、この制御部１２０は、データ用メモリ１５４内の血圧測定データを、表示部６３に表示される表示セグメント８０１，８０２の点滅動作に変えて光信号ＢＳ、ＤＳを生成させ、血圧測定データを転送しようとするデータ転送相手の血圧計本体１０Ａの受光部９００に表示セグメント８０１，８０２からの光信号ＢＳ、ＤＳを受光させて、データ転送相手の血圧計本体１０Ａのデータ用メモリ１５４に血圧測定データＲＲを転送させることができるようになっている。
【００６７】
被測定者が、血圧測定データの転送操作を開始する場合には、被測定者は、図２１に示すようにしてこれまで使用した血圧計本体１０の表示部６３を、これから使用する新しい血圧計本体１０Ａの表示部６３を近接して向い合せに位置させる。
そして、図２１に示すこれまで使用した血圧計本体１０のデータ転送スイッチ７３０を押す。これにより、図２２に示すように表示セグメント８０１は、矩形波の基本波形（周期波形信号）ＢＳを点滅動作により発生するとともに、表示セグメント８０２は、転送しようとする血圧測定データの信号波形ＤＳを点滅動作により発生する。表示セグメント８０１からの矩形波の基本波形ＢＳは、対応する受光素子９０１に受光させ、表示セグメント８０２からの転送しようとする血圧測定データの信号波形ＤＳは、対応する受光素子９０２に受光させる。
【００６８】
図２１に示す受光素子９０１は、受光された矩形波の基本波形ＢＳを電気信号に変えて血圧計本体１０Ａの制御部１２０に送るとともに、受光素子９０２は、転送しようとする血圧測定データの信号波形ＤＳを電気信号に変えて血圧計本体１０Ａの制御部１２０に送ることで、制御部１２０は、新しく使用する血圧計本体１０Ａ内のデータ用メモリ１５４に記憶させる。このように、これまで使用した血圧計本体１０のデータ用メモリ１５４から新しく使用する血圧計本体１０Ａのデータ用メモリ１５４に、非接触でデータ伝送をして簡単にしかも確実に記憶させることができる。
このため、従来は、これまで使用した血圧計に残っている血圧測定データを、これから使用する新しい血圧計に移して生かそうとすると、使用した血圧計のメモリに残っている血圧測定データを、外部メモリを経由してコンピュータに移して、このコンピュータから新しい血圧計のメモリに移す面倒な作業が必要になって、操作が煩わしかったが、本発明の実施形態ではこのような問題は生じない。
なお、本発明の各実施形態では、被測定者だけでなく、管理者や医者あるいは看護師等がデータ転送するようにしても良いのはもちろんである。
【００６９】
本発明の血圧計の実施形態は、カフと、腕帯部内を加圧する加圧手段と、制御手段と、腕帯部内の圧力を検出する圧力検出部と、腕帯部内の圧力を減圧する減圧手段と、測定した血圧値を表示する表示部と、血圧測定データを記憶するデータメモリを備え、圧力検出部からの圧力信号を受けて加圧手段と減圧手段を制御して血圧を測定する血圧計であって、データメモリ内の血圧測定データを、データ転送相手の血圧計側に転送するための血圧測定データ転送部を備える。これにより、新しい血圧計を買って使用しようとする際に、これまで使用した血圧計に残っている血圧測定データを、新しい血圧計に簡単に直接転送して生かすことができる。
【００７０】
血圧測定データ転送部は、加圧手段と、データメモリ内の血圧測定データを転送しようとするデータ転送相手の血圧計側の圧力検出部と、を接続する空気供給用のチューブと、加圧手段を作動してデータメモリ内の血圧測定データを空気の加圧力変化に変えて、データ転送相手の血圧計側の圧力検出部に対して血圧測定データに対応する加圧力変化を伝えることでデータ転送相手の血圧計側に対して血圧測定データを転送させる制御部と、を有する。これにより、これまで使用した血圧計からチューブをデータ転送相手の血圧計に対してチューブを接続して加圧力変化を伝えるだけで、これまで使用した血圧計に残っている血圧測定データを、新しい血圧計に直接移して生かすことができる。
【００７１】
血圧測定データの転送元である血圧計からデータ転送相手の血圧計側へ血圧測定データを転送する動作を開始するタイミングは、予め定めた加圧力変化パターンを血圧測定データの転送元である血圧計の制御部に入れることで生成される。これにより、予め定めた加圧力変化パターンを血圧測定データの転送元である血圧計の制御部に入れるだけで、転送元である血圧計からデータ転送相手の血圧計側へ血圧測定データを転送する動作を確実に開始することができる。
血圧測定データの転送元である血圧計からデータ転送相手の血圧計側へ血圧測定データを転送する動作を開始するタイミングは、血圧測定データの転送元である血圧計に配置された複数の操作ボタンを同時に押すことで生成される。これにより、被測定者が複数の操作ボタンを同時に押すだけで、転送元である血圧計からデータ転送相手の血圧計へ血圧測定データを転送する動作を確実に開始することができる。
【００７２】
血圧測定データ転送部は、データメモリ内の血圧測定データを、表示部に表示される表示セグメントの点滅動作に変えて光信号を生成させ、血圧測定データを転送しようとするデータ転送相手の血圧計の受光部に表示セグメントからの光信号を受光させて、データ転送相手の血圧計側に対して血圧測定データを転送させる制御部である。これにより、これまで使用した血圧計に残っている血圧測定データを、新しい血圧計に直接移して生かすことができる。
血圧測定データの転送元である血圧計からデータ転送相手の血圧計側へ血圧測定データを転送する動作を開始するタイミングは、転送元である血圧計の配置された予め定めた操作ボタンを押すことで生成する。これにより、被測定者が予め定めた操作ボタンを押すだけで、転送元である血圧計からデータ転送相手の血圧計へ血圧測定データを転送する動作を確実に開始することができる。
【００７３】
本発明の各実施形態は、任意に組み合わせることができる。
ところで、本発明は上記実施形態に限定されず、種々の変形例を採用することができる。
図２３は、本発明の別の態様の血圧計１のブロック構成図である。図１５に示すブロック図と異なる点は、コロトコフ音を検出するためのマイクロフォンを設けず、圧力センサ１５０により、阻血用空気袋１４の圧力と脈波検出用空気袋２５０の圧脈波を検出し、この圧脈波と阻血用空気袋１４の圧力から最高血圧(収縮期血圧)、最低血圧(拡張期血圧)を演算する点であり、いわゆる圧脈波（オシロメトリック）法式のダブルカフ血圧計ある。なお、脈波検出用空気袋２５０は、１つであってもよいし、脈波検出の精度を高めるために、上腕に腕帯部が装着されるか、上腕を腕帯部に挿入したときに円周方向の対向位置になるように２つ設けてもよい。
【００７４】
図２４は、本発明のさらに別の態様の血圧計１のブロック構成図である。図１５に示すブロック図と異なる点は、コロトコフ音を検出するためのマイクロフォンとエアチューブ５を設けず、また、脈波検出用空気袋２５０を設けず、阻血用空気袋１４の圧力と脈波から、圧脈波と圧力を検出し、最高血圧(収縮期血圧)、最低血圧(拡張期血圧)を演算する点であり、いわゆる圧脈波（オシロメトリック）法式の血圧計である。腕帯部を構成している外布は、円周方向及び長手方向に非伸縮性である材料で形成し、変形可能であるが伸縮性が非常に低いかほとんどない布部材である。こうすることで、血圧測定しない場合に、エアプラグを血圧計本体から取り外して、折り畳んでおくことができ、省スペース化が図られる。
このように、図２３と図２４に示す血圧計１も本発明に含まれるが、図１８に示す血圧計１と同様にして、これまで使用した血圧計本体１０のブロック構成５００と、新しく使用する血圧計本体１０のブロック構成６００を、血圧測定データ転送用のエアチューブ７００を用いて接続して、これまで使用した血圧計本体１０のブロック構成５００から、血圧測定データを、新しく使用する血圧計本体１０のブロック構成６００内のデータ用メモリ１５４に、簡単にしかも確実に記憶させることができる。
【００７５】
また、図２５に示すように、外布のほぼ全体を、剛性を有し、取っ手を備えたプラスチック製の筐体２ａで囲包していてもよい。こうすることで、血圧測定時に、上腕に腕帯部２が装着しやすくなる。
上述した本発明の実施形態の血圧計は、上腕に腕帯部を装着する形式のものであるが、本発明は、図２６に示す被測定者の手首に装着して使用する形式の血圧計をも含むものである。この手首式血圧計３００は、腕帯部３０２と、表示部３６３と、筐体部３６０と、操作部３８８を有している。すなわち、本発明の血圧計は、腕帯部と血圧計本体が別体に構成された形式のもの以外に、腕帯部と血圧計本体が一体に構成された形式のものも含む。
【符号の説明】
【００７６】
１・・・血圧計、２・・・腕帯部、４，５・・・エアチューブ、６・・・エアプラグ、１０・・・血圧計本体、１１Ｐ、１１Ｒ・・・開口部、１４・・・阻血用空気袋、１６・・・外布１６、１７・・・内布、７３・・・エアプラグ差込口、８８・・・開始／停止スイッチ、１１０・・・加圧手段である２つの駆動ポンプ、１１１・・・減圧手段としての制御バルブ、１１２・・・減圧手段としての排気バルブ、１２０・・・制御部（制御手段）、１２５・・・コンデンサマイクロフォン、１４０・・・圧力センサ（圧力検出部の例）、１５４・・・データ用メモリ（データメモリ）、７００・・・血圧測定データ転送用のエアチューブ（血圧測定データ転送用のチューブの例）、７３０・・・データ転送スイッチ、８００・・・表示点滅手段、８０１，８０２・・・表示セグメント、９００・・・受光手段９０１，９０２・・・受光素子、１０００，１００１・・・血圧測定データ転送部、ＰＳ・・・圧力信号
【図１】
2012045167.tif 000003
【図２】
2012045167.tif 000004
【図３】
2012045167.tif 000005
【図４】
2012045167.tif 000006
【図５】
2012045167.tif 000007
【図６】
2012045167.tif 000008
【図７】
2012045167.tif 000009
【図８】
2012045167.tif 000010
【図９】
2012045167.tif 000011
【図１０】
2012045167.tif 000012
【図１１】
2012045167.tif 000013
【図１２】
2012045167.tif 000014
【図１３】
2012045167.tif 000015
【図１４】
2012045167.tif 000016
【図１５】
2012045167.tif 000017
【図１６】
2012045167.tif 000018
【図１７】
2012045167.tif 000019
【図１８】
2012045167.tif 000020
【図１９】
2012045167.tif 000021
【図２０】
2012045167.tif 000022
【図２１】
2012045167.tif 000023
【図２２】
2012045167.tif 000024
【図２３】
2012045167.tif 000025
【図２４】
2012045167.tif 000026
【図２５】
2012045167.tif 000027
【図２６】
2012045167.tif 000028